(57)【要約】【課題】  複合デバイスのチップセレクト信号線の本数の変更をせずとも、デバイス機能部ごとに適した条件で動作させることが可能となる。【解決手段】  本発明の携帯通信端末１００は、複合デバイス２５０と、複合デバイスに含まれる複数のデバイス機能部２５２いずれかに対応するチップセレクト信号を送信する複数のチップセレクト送信端子２６２を有する制御デバイス２６０と、複数のチップセレクト信号の論理和をチップセレクト受信端子２５６に出力するインターフェースデバイス２７０と、を備え、制御デバイスは、デバイス機能部それぞれのアクセススピードに応じた信号時間長のチップセレクト信号を各チップセレクト送信端子から送信することを特徴としている。【選択図】    図３
2010128603.tif 000002
【特許請求の範囲】
【請求項１】
複数のデバイス機能部と、該複数のデバイス機能部それぞれの選択信号を生成するアドレスデコード部と、該複数のデバイス機能部を共通して動作させる１のチップセレクト受信端子と、を有する複合デバイスと、
前記複数のデバイス機能部いずれかに対応するチップセレクト信号を送信する複数のチップセレクト送信端子を有する制御デバイスと、
前記複数のチップセレクト信号の論理和を前記チップセレクト受信端子に出力するインターフェースデバイスと、
を備え、
前記制御デバイスは、前記デバイス機能部それぞれのアクセススピードに応じた信号時間長のチップセレクト信号を前記複数のチップセレクト送信端子から送信することを特徴とする携帯通信端末。
【請求項２】
前記制御デバイスは、アクセススピードが所定範囲内にある複数のデバイス機能部に対して１のチップセレクト信号を送信することを特徴とする請求項１に記載の携帯通信端末。
【請求項３】
前記制御デバイスは、アクセススピードが所定範囲内にある複数のデバイス機能部のリード機能またはライト機能に対して１のチップセレクト信号を送信することを特徴とする請求項１に記載の携帯通信端末。
【請求項４】
自体からデータを読み出させるリード機能および自体にデータを書き込ませるライト機能を有し、自体のチップセレクト受信端子が受信したチップセレクト信号に応じて該リード機能またはライト機能を実行する汎用デバイスと、
前記汎用デバイスのリード機能またはライト機能それぞれに対応するチップセレクト信号を送信する複数のチップセレクト送信端子を有する制御デバイスと、
前記複数のチップセレクト信号の論理和を前記チップセレクト受信端子に出力するインターフェースデバイスと、
を備え、
前記制御デバイスは、前記汎用デバイスのリード機能およびライト機能それぞれのアクセススピードに応じた信号時間長のチップセレクト信号を前記複数のチップセレクト送信端子から送信することを特徴とする携帯通信端末。
【請求項５】
前記制御デバイスは、アクセススピードが所定範囲内にある複数の汎用デバイスのリード機能またはライト機能に対して１のチップセレクト信号を送信することを特徴とする請求項４に記載の携帯通信端末。
【発明の詳細な説明】
【技術分野】
【０００１】
本発明は、複合デバイスを有する携帯通信端末に関する。
【背景技術】
【０００２】
近年、携帯電話やＰＨＳ(Personal Handy phone System)等の、無線通信機能を有し単独で動作可能な携帯通信端末が普及し、通信速度および通信品質の向上と共に、ポータビリティを高めるための小型化、軽量化、薄型化が進んでいる。かかる小型化を進めるにあたっては、携帯通信端末に実装される中央処理装置（ＣＰＵ）やその周辺デバイス等の電気素子の小型化や、部品点数そのものの削減が検討されている。
【０００３】
一方、携帯通信端末等の電子機器に搭載されるＣＰＵは、バス接続される周辺のデバイスを利用するため、アクセス対象となるデバイスが含まれる物理的なアクセス空間を特定するチップセレクト信号線を各デバイスとの間に設けている。そして、かかるチップセレクト信号線を介して、チップセレクト信号を有効（イネーブル）にすることで、ＣＰＵは個々のデバイスに対してアクセスを行うことが可能となる。しかし、昨今のＣＰＵの高速化に伴い、上記周辺のデバイスの動作速度がＣＰＵの動作速度に対応しきれない場合がある。
【０００４】
そこで、ＣＰＵとデバイスとの間に双方向でデータの転送を行うバッファを介することで、ＣＰＵのデバイスに対するリードアクセスおよびライトアクセスを制御し、バスにおける両データの衝突を防止する技術がある。
【０００５】
しかし、上記バッファを介してアクセスを行う技術では、リードデータおよびライトデータが一旦バッファに保持されているので、データ転送に遅延が生じ、アクセスが遅くなるという不都合がある。また、ＣＰＵの動作速度よりも低速のデバイスが複数存在する場合、デバイスごとにバッファを設ける必要があり、回路構成が複雑になってしまう。そうすると、全体的な部品点数が増加し、機器の小型化に逆行することとなる。
【０００６】
そこで、ＣＰＵよりも動作速度が低速なデバイス(低速デバイス)に対するアクセスにおいて、低速デバイスのアクセス空間を規定するアクセス規定値を低速デバイスごとに設定するとともに、ＣＰＵが低速デバイスに対しリードアクセスに続いてライトアクセスを行うとき、そのライトアクセスを遅延させる時間である遅延値をアクセス規定値とともに設定し、低速デバイスに対するアクセスがリードアクセスに続くライトアクセスであることをＣＰＵが認識すると、アクセスされるアドレス空間に対応する遅延値に基づいてライトアクセスを遅延させることで、リードアクセスの後にライトアクセスが続く場合のアクセス速度の低下および両アクセス間でのデータの衝突を防止する技術が開示されている（例えば、特許文献１）。
【特許文献１】特開２０００−９９３９０号公報
【発明の開示】
【発明が解決しようとする課題】
【０００７】
さらに近年、携帯通信端末等の電子機器のさらなる小型化に貢献可能な、複数のデバイスを同一パッケージに組み込んだ、ＡＳＩＣ（Application Specific Integrated Circuit）、ＦＰＧＡ（Field Programmable Gate Array）、ＰＬＤ（Programmable Logic Device）等の複合デバイスが提案されている。かかる複合デバイスにおいて、複合デバイスに組み込まれ、または内蔵され、デバイスとして機能するデバイス機能部は、その機能や配置、配線状態によって動作速度等のアクセス条件がそれぞれ異なる。さらに、１つのデバイス機能部をとっても、リードアクセス（以下、単にＲＤと称する）におけるアクセス条件とライトアクセス（以下、単にＷＲと称する）におけるアクセス条件とがそれぞれ異なる場合もある。
【０００８】
しかし、複合デバイスは、その内蔵回路に拘わらず、全体を動作させる１のチップセレクト信号線しか有さず、デバイス機能部が複数あったとしてもそのチップセレクト信号は１つであった。
【０００９】
図９は、ＣＰＵからの従来の複合デバイスへのアクセスを説明するための説明図である。図９中「Ａ」はアドレスバスへの接続点、「Ｄ」はデータバスへの接続点、「ＣＳ」はチップセレクト端子を示す。かかる記号の対応関係は以下の説明でも同様に用いられる。図９に示すように、複合デバイス１０に組み込まれたデバイス機能部１２ａ、１２ｂ、１２ｃ、１２ｄはそれぞれアクセス条件が異なる。したがって、ＣＰＵ２０は、デバイス機能部１２それぞれのアクセス条件に応じてアクセスを行うべきである。
【００１０】
しかし、ＣＰＵ２０は、最も遅い動作速度（最も低いアクセス条件）を有するデバイス機能部１２（例えば、デバイス機能部１２ｄ）の設定値で、チップセレクト信号線１４を介してアクセスを行う。なぜなら、動作速度の速いデバイスは遅い動作速度に設定したとしても正常動作可能であるが、動作速度の遅いデバイスは早い動作速度で設定してしまうと正常に動作しないからである。したがって、このような動作速度の異なる複数のデバイス機能部１２ａ、１２ｂ、１２ｃ、１２ｄを内蔵する複合デバイス１０にＣＰＵ２０からアクセスを試みる場合、最も遅い動作速度を有するデバイス機能部１２ｄのアクセススピードに設定され、他のデバイス機能部１２ａ、１２ｂ、１２ｃはそのパフォーマンスを発揮することができなくなってしまう。他のデバイス機能部１２ａ、１２ｂ、１２ｃはそのパフォーマンスを発揮させるためには、チップセレクト信号線１４をデバイス機能部１２の個数分用意しなければならなかった。
【００１１】
また、デバイスが複合デバイスに組み込まれている場合でなくとも、デバイスによっては、ＲＤのアクセス条件とＷＲのアクセス条件が異なる場合もある。しかし、従来の技術では、ＲＤ、ＷＲをそれぞれ個別に設定することができなかったため、１のデバイスにおいても、ＲＤ、ＷＲの遅い方の動作速度に引っ張られ、パフォーマンスの向上を図ることができなかった。
【００１２】
そこで、本発明は、このような問題に鑑み、複合デバイスのチップセレクト信号線の本数の変更をせずとも、デバイス機能部ごとに適した条件で動作させることが可能な携帯通信端末を提供することを目的とする。また、同様に、デバイス単体のチップセレクト信号線の本数を増やすことなく、適した条件でそのデバイスを動作させることが可能な携帯通信端末を提供することを目的とする。
【課題を解決するための手段】
【００１３】
上記課題を解決するために、本発明にかかる携帯通信端末の代表的な構成は、複数のデバイス機能部と、当該複数のデバイス機能部それぞれの選択信号を生成するアドレスデコード部と、当該複数のデバイス機能部を共通して動作させる１のチップセレクト受信端子と、を有する複合デバイスと、複数のデバイス機能部いずれかに対応するチップセレクト信号を送信する複数のチップセレクト送信端子を有する制御デバイスと、複数のチップセレクト信号の論理和をチップセレクト受信端子に出力するインターフェースデバイスと、を備え、制御デバイスは、デバイス機能部それぞれのアクセススピードに応じた信号時間長のチップセレクト信号を複数のチップセレクト送信端子から送信することを特徴とする。
【００１４】
ＣＰＵ等の制御デバイスが複数のチップセレクト送信端子を有していたとしても、複合デバイスがチップセレクト受信端子を１つしか有さない場合、その中のデバイス機能部それぞれに対して制御デバイスのチップセレクト送信端子を割り当てることができない。本発明では、チップセレクト信号の２つの機能、即ち、デバイス選択機能と信号時間長特定機能のうち、デバイス選択機能を複合デバイス内のアドレスデコード部に担わせ、信号時間長特定機能を制御デバイスのチップセレクト送信端子が担う。そして、かかるチップセレクト送信端子からのチップセレクト信号はその時間長を特定するだけなのでインターフェースデバイスを通じて１つに纏めることが可能となり、複合デバイスのチップセレクト受信端子が１つであっても、デバイス機能部に対して、それぞれ適した時間長によるチップセレクトを実行することが可能となる。
【００１５】
上記制御デバイスは、アクセススピードが所定範囲内にある複数のデバイス機能部に対して同一のチップセレクト信号を送信してもよい。
【００１６】
これにより、１のチップセレクト信号でアクセス可能なデバイス機能部を纏めることができ、チップセレクト信号の効率化を図ることが可能となる。
【００１７】
上記制御デバイスは、アクセススピードが所定範囲内にある複数のデバイス機能部のリード機能またはライト機能に対して１のチップセレクト信号を送信してもよい。
【００１８】
これにより、１のチップセレクト信号でアクセス可能なデバイス機能部のリード機能もしくはライト機能を纏めることができ、チップセレクト信号の効率化を図ることが可能となる。
【００１９】
上記課題を解決するために、本発明にかかる携帯通信端末の他の代表的な構成は、自体からデータを読み出させるリード機能および自体にデータを書き込ませるライト機能を有し、自体のチップセレクト受信端子が受信したチップセレクト信号に応じてリード機能またはライト機能を実行する汎用デバイスと、汎用デバイスのリード機能またはライト機能それぞれに対応するチップセレクト信号を送信する複数のチップセレクト送信端子を有する制御デバイスと、複数のチップセレクト信号の論理和をチップセレクト受信端子に出力するインターフェースデバイスと、を備え、制御デバイスは、汎用デバイスのリード機能およびライト機能それぞれのアクセススピードに応じた信号時間長のチップセレクト信号を複数のチップセレクト送信端子から送信することを特徴とする。
【００２０】
従来、汎用デバイスは１のチップセレクト受信端子しか有していないため、汎用デバイスのリード機能、ライト機能それぞれに対して１の信号時間長しか設定できなかった。したがって、リード機能とライト機能とでアクセススピードが異なる場合、アクセススピードが遅い方にあわせて信号時間長を設定するしかなかった。本発明では、制御デバイスがチップセレクト信号を利用して、リード機能、ライト機能それぞれのアクセススピードに応じた信号時間長を設定することが可能となる。したがって、リード機能とライト機能のアクセススピードが異なる汎用デバイスであっても、適応的にアクセススピードを選択して汎用デバイスを動作させることができる。
【００２１】
上記制御デバイスは、アクセススピードが所定範囲内にある複数の汎用デバイスのリード機能またはライト機能に対して１のチップセレクト信号を送信してもよい。これにより、１のチップセレクト信号でアクセス可能な複数の汎用デバイスを纏めることができ、チップセレクト信号の効率化を図ることが可能となる。
【発明の効果】
【００２２】
以上説明したように本発明の携帯通信端末によれば、複合デバイスのチップセレクト信号線の本数の変更をせずとも、デバイス機能部ごとに適した条件で動作させることが可能となる。また、同様に、デバイス単体のチップセレクト信号線の本数を増やすことなく、適した条件でそのデバイスを動作させることができる。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（第１の実施形態：携帯通信端末１００）
図１は、本実施形態にかかる携帯通信端末の構成を示した機能ブロック図であり、図２は、本実施形態にかかる携帯通信端末の外観斜視図である。携帯通信端末１００は、端末制御部２１０と、メモリ２１２と、表示部２１４と、操作部２１６と、音声入力部２１８と、音声出力部２２０と、無線通信部２２２と、を含んで構成される。
【００２５】
端末制御部２１０は、後述する制御デバイス２６０としてのＣＰＵを含む半導体集積回路により携帯通信端末１００全体を管理および制御し、メモリ２１２のプログラムを用いて、通話機能、メール送受信機能、撮像機能、音楽再生機能、ＴＶ視聴機能も遂行する。
【００２６】
メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムを記憶する。
【００２７】
表示部２１４は、液晶ディスプレイ、ＥＬ(Electro Luminescence)ディスプレイ等で構成され、メモリ２１２に記憶された、または通信網を介してサーバから提供される、ＷｅｂコンテンツやアプリケーションのＧＵＩ（Graphical User Interface）を表示することができる。
【００２８】
操作部２１６は、キーボード、十字キー、ジョイスティック、タッチパネル等のスイッチで構成され、ユーザの操作入力を受け付ける。
【００２９】
音声入力部２１８は、マイク等の音声変換手段で構成され、通話時に入力されたユーザの音声を携帯通信端末１００内で処理可能な電気信号に変換する。音声出力部２２０は、スピーカで構成され、携帯通信端末１００で受信した通話相手の音声信号を音声に変えて出力する。また、音声出力部２２０は、着信音や、操作部２１６の操作音、アラーム音等も出力できる。
【００３０】
無線通信部２２２は、例えば、ＣＤＭＡ（Code Division Multiple Access）やＷｉＭＡＸ（Worldwide Interoperability for Microwave Access）等の無線通信方式を通じて基地局１２０との無線通信を確立し、通信相手との音声通信やＷｅｂ情報の取得等のデータ通信を実行する。
【００３１】
図３は、本実施形態にかかる携帯通信端末のハードウェア構成を説明するための説明図である。本実施形態の携帯通信端末１００は、主たるハードウェアとして、複合デバイス２５０と、制御デバイス２６０と、インターフェースデバイス２７０と、アドレスバス２８０と、データバス２８２と、を含んで構成される。
【００３２】
複合デバイス２５０は、例えばメモリ２１２等として機能する複数（本実施形態においては、４つ）のデバイス機能部２５２（図３中２５２ａから２５２ｄで示す）と、かかる複数のデバイス機能部２５２それぞれの選択信号を生成するアドレスデコード部２５４と、かかる複数のデバイス機能部２５２を共通して動作させるチップセレクト受信端子２５６とを有している。
【００３３】
制御デバイス２６０は、上述した端末制御部２１０として機能し、デバイス機能部２５２いずれかに対応するチップセレクト信号を送信する複数（本実施形態においては、４つ）のチップセレクト送信端子２６２を有している。さらに制御デバイス２６０は、アドレスバス２８０を介して複合デバイス２５０のアドレスデコード部２５４にアドレス信号を送信し、データバス２８２を介して複合デバイス２５０に含まれる複数のデバイス機能部２５２とデータ信号の送受信を行う。
【００３４】
インターフェースデバイス２７０は、複数のチップセレクト信号の論理和をチップセレクト受信端子２５６に出力する。ここでは、チップセレクト信号を正論理としているのでインターフェースデバイス２７０として論理和を用いているが、負論理であれば論理積を用いることもできる。
【００３５】
本実施形態において、制御デバイス２６０は、デバイス機能部２５２それぞれのアクセススピードに応じた信号時間長のチップセレクト信号を各チップセレクト送信端子２６２から送信する。
【００３６】
ＣＰＵ等の制御デバイス２６０が複数のチップセレクト送信端子２６２を有していても、複合デバイス２５０がチップセレクト受信端子２５６を１つしか有さない場合、複合デバイス２５０の中のデバイス機能部２５２それぞれに対して制御デバイス２６０のチップセレクト送信端子２６２を割り当てることができない。
【００３７】
本実施形態では、チップセレクト信号の２つの機能、即ち、デバイス選択機能と信号時間長特定機能のうちデバイス選択機能を複合デバイス２５０内のアドレスデコード部２５４に担わせ、信号時間長特定機能を制御デバイス２６０のチップセレクト送信端子２６２が担う。
【００３８】
かかるチップセレクト送信端子２６２からのチップセレクト信号はその時間長を特定するだけなのでインターフェースデバイス２７０を通じて１つに纏めることが可能となり、複合デバイス２５０のチップセレクト受信端子２５６が１つであっても、デバイス機能部２５２に対して、それぞれ異なる時間長によるチップセレクトを実行することができる。したがって、複合デバイス２５０を構成するデバイス機能部２５２ごとに適したアクセススピードでデバイス機能部２５２を動作させることが可能となる。
【００３９】
また、本実施形態において、制御デバイス２６０は、アクセススピードが所定範囲内にある（近似している）複数のデバイス機能部２５２に対して１のチップセレクト信号を送信することもできる。
【００４０】
図４は、本実施形態にかかるアドレスマップを説明するための説明図であり、特に図４（ａ）は、従来のアドレスマップを、図４（ｂ）は、本実施形態にかかるアドレスマップを示す。図５は、デバイス機能部のリード機能のアクセススピードのタイミングチャートを例示した図である。ここで、デバイス機能部２５２として、電源ＩＣ（図５中（ａ））、音源ＩＣ（図５中（ｂ））、メモリ（図５中（ｃ））、アプリケーションプロセッサ（図５中（ｄ））を例として説明する。
【００４１】
図４（ａ）に示すように、従来のアドレスマップを参照すると、１のデバイス機能部２５２に対してそれぞれ１のチップセレクト信号を送信している。
【００４２】
ここで、図５を参照すると、電源ＩＣと音源ＩＣとのリード機能のアクセススピード（信号時間長）は近似している。そこで、図４（ｂ）のアドレスマップに示すように、本実施形態では、アクセススピードが所定範囲内にある（近似している）複数のデバイス機能部２５２（ここでは電源ＩＣおよび音源ＩＣ）を纏めている。
【００４３】
これにより、かかるアクセススピードが所定範囲内にある複数のデバイス機能部２５２に対して１のチップセレクト信号、ここでは、図５（ａ）、（ｂ）の信号時間長と実質的に等しい時間長を有する信号を送信すれば、チップセレクト信号の効率化を図ることが可能となる。
【００４４】
以上説明したように、本実施形態にかかる携帯通信端末１００によれば、複合デバイス２５０のチップセレクト信号線の本数の変更をせずとも、デバイス機能部２５２ごとに適した条件で動作させることが可能となる。
【００４５】
（第２の実施形態：携帯通信端末３００）
図６は、携帯通信端末の他のハードウェア構成を説明するための説明図である。図６に示すように、携帯通信端末３００は、汎用デバイス３５０と、制御デバイス３６０と、インターフェースデバイス３７０と、アドレスバス２８０と、データバス２８２と、ＲＷ信号線３８４と、を含んで構成される。図６中「Ｒ／Ｗ」はリードライト端子を示す。なお、上述した携帯通信端末１００と実質的に等しい構成要素については、同一の符号を付して説明を省略する。
【００４６】
汎用デバイス３５０は、自体からデータを読み出させるリード機能を有するリード機能部３５２および自体にデータを書き込ませるライト機能を有するライト機能部３５４を備え、自体のチップセレクト受信端子３５６からのチップセレクト信号に応じてリード機能またはライト機能を実行する。
【００４７】
制御デバイス３６０は、汎用デバイス３５０のリード機能またはライト機能それぞれに対応するチップセレクト信号を送信する複数のチップセレクト送信端子３６２を有している。さらに制御デバイス３６０は、アドレスバス２８０を介して汎用デバイス３５０にアドレス信号を送信し、ＲＷ信号線３８４を介して、汎用デバイス３５０のリード機能を有効にするか、またはライト機能を有効にするかを排他的に伝達する。そして、制御デバイス３６０は、データバス２３８２を介して汎用デバイス３５０とデータ信号の送信（汎用デバイス３５０のライト機能部３５４を有効にした場合）または受信（汎用デバイス３５０のリード機能部３５２を有効にした場合）を行う。
【００４８】
インターフェースデバイス３７０は、複数のチップセレクト信号の論理和を汎用デバイス３５０に設けられたチップセレクト受信端子３５６に出力する。
【００４９】
本実施形態において、制御デバイス３６０は、汎用デバイス３５０のリード機能およびライト機能それぞれのアクセススピードに応じた信号時間長のチップセレクト信号を各チップセレクト送信端子３６２から送信する。
【００５０】
従来、汎用デバイスはチップセレクト受信端子を１つしか有していないため、汎用デバイスのリード機能、ライト機能それぞれに対して単一の信号時間長しか設定することはできなかった。したがって、リード機能とライト機能とでアクセススピードが異なる場合、アクセススピードが遅い方にあわせて信号時間長を設定するしかなかった。
【００５１】
本実施形態では、制御デバイス３６０がチップセレクト信号を利用して、リード機能、ライト機能それぞれのアクセススピードに応じた信号時間長を設定することが可能となる。したがって、リード機能とライト機能のアクセススピードが異なる汎用デバイス３５０であっても、適応的にアクセススピードを選択して汎用デバイス３５０を動作させることができる。
【００５２】
また本実施形態において、制御デバイス３６０は、アクセススピードが所定範囲内にある複数の汎用デバイス３５０のリード機能部３５２またはライト機能部３５４に対して１のチップセレクト信号を送信することもできる。
【００５３】
図７は、本実施形態にかかるアドレスマップを説明するための説明図であり、特に図７（ａ）は、従来のアドレスマップを、図７（ｂ）は、本実施形態にかかるアドレスマップを示す。図８は、リード機能とライト機能のアクセススピードが異なる場合のタイミングチャートである。ここで、汎用デバイス３５０として、電源ＩＣ、音源ＩＣ、メモリ、アプリケーションプロセッサを例として説明する。
【００５４】
図７（ａ）に示すように、従来のアドレスマップを参照すると、１の汎用デバイス３５０に対して１のチップセレクト信号を送信している。したがって、１の汎用デバイス３５０において、リード機能とライト機能のアクセススピードが異なる場合、遅いほうのアクセススピードでかかる汎用デバイス３５０を動作させなければならない。図８においては、リード機能よりライト機能のほうが、アクセススピードが遅いため、制御デバイス３６０は、ライト機能のアクセススピードに応じた信号時間長でチップセレクト信号を送信することとなる。
【００５５】
そこで、図７（ｂ）のアドレスマップに示すように、本実施形態では、アクセススピードが所定範囲内にある（近似している）複数の汎用デバイス３５０のリード機能(図７（ｂ）においては電源ＩＣ、音源ＩＣおよびアプリケーションプロセッサのリード機能)を纏めている。これにより、かかるアクセススピードが所定範囲内にある複数の汎用デバイス３５０のリード機能またはライト機能に対して１のチップセレクト信号を送信すれば、チップセレクト信号の効率化を図ることが可能となる。
【００５６】
以上、説明したように本実施形態にかかる携帯通信端末３００によれば、汎用デバイス３５０のチップセレクト信号線の本数を増やすことなく、適した条件で汎用デバイス３５０を動作させることが可能となる。
【００５７】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５８】
例えば、上記第２の実施形態では、１のデバイス機能を有する汎用デバイス３５０について説明したが、これに限定されず、第１の実施形態にかかる複合デバイス２５０のデバイス機能部２５２のリード機能とライト機能のアクセススピードが異なる場合であっても、適応的にアクセススピードを選択してデバイス機能部２５２を動作させることができる。
【００５９】
また、上記第１の実施形態にかかる制御デバイス２６０は、アクセススピードが所定範囲内にある複数のデバイス機能部２５２のリード機能またはライト機能に対して１のチップセレクト信号を送信することもできる。かかる構成により、１のチップセレクト信号でアクセス可能なデバイス機能部２５２のリード機能もしくはライト機能を纏めることができ、チップセレクト信号の効率化を図ることが可能となる。
【産業上の利用可能性】
【００６０】
本発明は、複合デバイスを有する携帯通信端末に利用することができる。
【図面の簡単な説明】
【００６１】
【図１】第１の実施形態にかかる携帯通信端末の構成を示した機能ブロック図である。
【図２】第１の実施形態にかかる携帯通信端末の外観斜視図である。
【図３】第１の実施形態にかかる携帯通信端末のハードウェア構成を説明するための説明図である。
【図４】第１の実施形態にかかるアドレスマップを説明するための説明図である。
【図５】デバイス機能部のリード機能のアクセススピードのタイミングチャートを例示した図である。
【図６】第２の実施形態にかかる携帯通信端末のハードウェア構成を示したブロック図である。
【図７】第２の実施形態にかかるアドレスマップを説明するための説明図である。
【図８】リード機能とライト機能のアクセススピードが異なる場合のタイミングチャートである。
【図９】ＣＰＵからの従来の複合デバイスへのアクセスを説明するための説明図である。
【符号の説明】
【００６２】
１００、３００  …携帯通信端末
２１０、３１０  …端末制御部
２１２  …メモリ
２１４  …表示部
２１６  …操作部
２１８  …音声入力部
２２０  …音声出力部
２２２  …無線通信部
２５０  …複合デバイス
２５２  …デバイス機能部
２５４  …アドレスデコード部
２５６、３５６  …チップセレクト受信端子
２６０、３６０  …制御デバイス
２６２、３６２  …チップセレクト送信端子
２７０、３７０  …インターフェースデバイス
２８０  …アドレスバス
２８２  …データバス
３５０  …汎用デバイス
３５２  …リード機能部
３５４  …ライト機能部
３８４  …ＲＷ信号線
【図１】
2010128603.tif 000003
【図２】
2010128603.tif 000004
【図３】
2010128603.tif 000005
【図４】
2010128603.tif 000006
【図５】
2010128603.tif 000007
【図６】
2010128603.tif 000008
【図７】
2010128603.tif 000009
【図８】
2010128603.tif 000010
【図９】
2010128603.tif 000011